(57)【特許請求の範囲】
【請求項１】
装置に挿入されたカセットテープのたるみの有無を検出する弛み検出手段と、カセットテープを排出する排出手段と、排出の第１の操作信号と排出の第２の操作信号を出力する入力手段と、
前記入力手段より前記第１の操作信号を受信したときは前記カセットテープにたるみが無くなったことを確認してカセットテープを排出するように前記排出手段を制御し、前記入力手段より前記第２の操作信号を受信したときは前記カセットテープのたるみの有無に係わらずカセットテープを排出するように前記排出手段を制御する制御手段を備えたことを特徴とするカセットテープ排出装置。
【請求項２】
装置に挿入されたカセットテープのたるみの有無を検出する弛み検出手段と、カセットテープを排出する排出手段と、ＥＪＥＣＴキーと、
前記ＥＪＥＣＴキーが所定時間未満押されたときは前記カセットテープにたるみが無くなったことを確認してカセットテープを排出するように前記排出手段を制御し、前記ＥＪＥＣＴキーが所定時間以上押されたときは前記カセットテープのたるみの有無に係わらずカセットテープを排出するように前記排出手段を制御する制御手段を備えたことを特徴とするカセットテープ排出装置。
【発明の詳細な説明】
【０００１】
【発明の属する技術分野】
本発明は、カセットテープ排出装置に関する。
【０００２】
【従来の技術】
装置に挿入されたカセットテープを排出するときに、テープにたるみがあるとテープが内部の部品やテープ挿入口の蓋にひっかかり損傷を与えることがある。このために従来より、装置に挿入されたカセットテープを排出するときは、テープのたるみを取る動作を行い、テープのたるみが無くなったことを確認してから排出動作を行うようにしている（特開昭６３−２９８７４７号公報参照）。これにより、テープの損傷が防止される。
【０００３】
【発明が解決しようとする課題】
しかしながら、テープのたるみが有ると装置が認識した場合は、テープのたるみがなくなったことを確認しなければ、いくら使用者がカセットテープを排出させようと思い何度ＥＪＥＣＴキーを操作しても、排出させることができない。例えば、たるみを取る機構が故障した場合や、テープが切断した状態（巻き取りリールが回転し、送りリールが回転しない状態）を装置がたるみの状態と間違って判断した場合には、カセットテープの排出が禁止される。この場合は、使用者がテープの損傷を覚悟してカセットテープを排出させようと考えても、カセットテープを排出させることができない。
【０００４】
【課題を解決するための手段】
本発明のカセットテープ排出装置はかかる点に鑑みなされたもので、装置に挿入されたカセットテープのたるみの有無を検出する弛み検出手段と、カセットテープを排出する排出手段と、排出の第１の操作信号と排出の第２の操作信号を出力する入力手段と、
前記入力手段より前記第１の操作信号を受信したときは前記カセットテープにたるみが無くなったことを確認してカセットテープを排出するように前記排出手段を制御し、前記入力手段より前記第２の操作信号を受信したときは前記カセットテープのたるみの有無に係わらずカセットテープを排出するように前記排出手段を制御する制御手段を備える。
【０００５】
また、装置に挿入されたカセットテープのたるみの有無を検出する弛み検出手段と、カセットテープを排出する排出手段と、ＥＪＥＣＴキーと、
前記ＥＪＥＣＴキーが所定時間未満押されたときは前記カセットテープにたるみが無くなったことを確認してカセットテープを排出するように前記排出手段を制御し、前記ＥＪＥＣＴキーが所定時間以上押されたときは前記カセットテープのたるみの有無に係わらずカセットテープを排出するように前記排出手段を制御する制御手段を備える。
【０００６】
【発明の実施の形態】
本発明の実施例を図面に基づき説明する。図１はカセットテープ排出装置の要部の構成を示すブロック図である。（１）は制御回路であり、ＲＯＭ（２）に記憶されたプログラムに基づき各部の制御を行う。（３）はＲＡＭであり、制御回路（１）の動作に必要な情報を記憶する。（４）は弛み検出手段であり、テープがたるんでいるか否かを検出して、制御回路（１）に出力する。その方法は、リール回転検出素子（図示せず）を備え、巻き取りリールに追従して送りリールが回転しているか否かによって判定する（実開平６−８４５２３号公報参照）。尚、たるんで突出したテープを光センサで検出する方法でテープのたるみを検出してもよい（特開昭６２−１５７３５０号公報参照）。
【０００７】
（５）はＥＪＥＣＴキーであり、押されている状態のときにＯＮ（Ｈｉｇｈ）の信号を、開放されている状態のときにＯＦＦ（Ｌｏｗ）の信号を制御回路（１）に出力する。（６）は弛み取り手段であり、制御回路（１）の制御に基づき、一方のリールのみを巻き取り方向に回転させる。（７）は排出手段であり、制御回路（１）の制御に基づき、カセットテープを排出させる。
【０００８】
次に、本実施例の主要な動作を説明する。図２は制御回路（１）の動作を示すフローチャートである。
【０００９】
ＥＪＥＣＴキー（５）がＴ１時間未満（例えば、３秒未満）押し続けられると（Ｓ１のＹ，Ｓ２，Ｓ３のＹ）、制御回路（１）は、テープが現在たるんでいるか否かに係わらず、テープのたるみを取る動作を弛み検出手段に行わせる（Ｓ５，Ｓ６）。そして、弛み検出手段（４）によりテープがたるんでいるか否かをＴ２時間（例えば、０．５秒以内に）検出する（Ｓ７，Ｓ８）。テープがたるんでいなければ（Ｓ７のＹ）、制御回路（１）は、排出手段（７）によりカセットテープを排出させる（Ｓ９）。Ｔ２時間たるみを取る動作を行わせてもたるみが無くなったことを検出できない場合は（Ｓ６，Ｓ７のＮ，Ｓ８のＹ）、テープを排出させることなく、排出処理を終了（ＲＥＴＵＲＮ）する。
【００１０】
ＥＪＥＣＴキー（５）がＴ１時間押し続けられると（Ｓ１のＹ，Ｓ２，Ｓ３のＮ，Ｓ４のＹ）、制御回路（１）は、たるみに係る動作（特に、Ｓ７のＮからＳ８のＹ））を行わせることなく、テープを排出させる（Ｓ９）。
【００１１】
このように、ＥＪＥＣＴキー（５）を通常に押した場合はたるみが取れたことを条件にカセットテープを排出させ、ＥＪＥＣＴキー（５）を通常より長い時間押した場合はたるみに関係なくカセットテープを排出させる。これにより、使用者がいくらＥＪＥＣＴキー（５）を押してもカセットテープを排出できないときは、テープの損傷等を覚悟の上、ＥＪＥＣＴキー（５）を所定時間以上押せばカセットテープの排出動作を行わせることができる。これにより、カセットテープを排出できる場合がある。例えば、リールの回転に基づいてたるみの検出を行う場合は、テープの切断によりたるみを誤検出することがあり、発光素子と受光素子によりたるみを検出する場合は、発光／受光の不良によりたるみを誤検出することがある。このようなときは、ＥＪＥＣＴキー（５）を所定時間以上押すことによりカセットテープの排出動作を行わせることができる。
【００１２】
尚、上述の実施例ではＥＪＥＣＴキーを押し続ける時間に基づいて、カセットテープの排出動作を異ならせたが、本発明はこれに限定するものではなく、例えば、キーを押す回数に基づいてもよく、キーの種類に基づいてもよい。
【００１３】
【発明の効果】
上述の如く、使用者が通常の排出操作を行い、弛み検出によりカセットテープの排出が拒否された場合、通常とは異なる排出操作により、弛み検出を無視して強制的にカセットテープを排出させることができる。
【図面の簡単な説明】
【図１】本発明の要部を示すブロック図である。
【図２】本発明の主要な動作を示すフローチャートである。
【符号の説明】
１  制御回路
４  弛み検出手段
５  ＥＪＥＣＴキー
６  弛み取り手段
７  排出手段
【図１】
0003583975.tif 000002
【図２】
0003583975.tif 000003